(57)【要約】【課題】さまざまな骨の形状に対応可能な骨接合プレートを提供する。【解決手段】骨接合プレート１は、ベースプレート１０の方向に対して所定範囲内の角度の方向に回動可能に、ベースプレート１０の第１端部に隣接してベースプレート１０に結合された可動プレート２０ａと、第１端部と反対側の第２端部に隣接してベースプレート１０に結合された可動プレート２０ｂとを有する。可動プレート２０ａ及び可動プレート２０ｂには、骨接合プレート１を骨に固定するためのネジを貫通する穴が形成されている。【選択図】図１
2017023203.tif 000002
【特許請求の範囲】
【請求項１】
ベースプレートと、
前記ベースプレートの方向に対して所定範囲内の角度の方向に回動可能に、前記ベースプレートの端部に隣接して前記ベースプレートに結合された可動プレートと、
を有する骨接合プレート。
【請求項２】
前記ベースプレートの方向に対して所定範囲内の角度の方向に回動可能に、前記ベースプレートの第１端部に隣接して前記ベースプレートに結合された第１可動プレートと、前記第１端部と反対側の第２端部に隣接して前記ベースプレートに結合された第２可動プレートとを有する、
請求項１に記載の骨接合プレート。
【請求項３】
前記第１可動プレート及び前記第２可動プレートには、前記骨接合プレートを骨に固定するためのネジを貫通する穴が形成されている、
請求項２に記載の骨接合プレート。
【請求項４】
前記可動プレートは、前記ベースプレートに挿入される凸部を有し、
前記ベースプレートは、前記凸部が挿入される凹部を有する、
請求項１から３のいずれか１項に記載の骨接合プレート。
【請求項５】
前記凹部は、球状の空洞を有し、
前記凸部は、前記球状の空洞の開口部の最大幅よりも大きな幅を有する第１凸部と、前記開口部の最大幅よりも小さな幅を有する第２凸部と、を有する、
請求項４に記載の骨接合プレート。
【請求項６】
前記凹部は、球状の第１空洞と、前記ベースプレートの厚み方向の幅が当該第１空洞の内径よりも小さい第２空洞とを有し、
前記凸部は、前記厚み方向における前記第２空洞の最小幅よりも前記厚み方向の幅が大きい第１凸部と、前記厚み方向における前記第２空洞の最小幅よりも前記厚み方向の幅が小さい第２凸部と、を有する、
請求項４に記載の骨接合プレート。
【請求項７】
前記可動プレートは、前記凸部が形成された側と反対側の端部に、他の可動プレートの前記凸部が挿入される凹部を有する、
請求項４から６のいずれか１項に記載の骨接合プレート。
【請求項８】
前記ベースプレートは、前記凹部に前記凸部が挿入された状態で前記凹部を覆うカバー部を有する、
請求項４から７のいずれか１項に記載の骨接合プレート。
【請求項９】
前記ベースプレートの端部には、円弧状の凸面が形成されており、
前記可動プレートの端部には、前記凸面の曲率半径と同等の曲率半径の円弧状の凹面が形成されている、
請求項１から８のいずれか１項に記載の骨接合プレート。
【請求項１０】
前記ベースプレートの厚みと前記可動プレートの厚みとが同一であり、前記ベースプレートと前記可動プレートとが結合された状態で、前記ベースプレートの表面と前記可動プレートの表面とが同一平面上にある、
請求項１から９のいずれか１項に記載の骨接合プレート。
【発明の詳細な説明】
【技術分野】
【０００１】
本発明は、骨折部位を接合するために使用される骨接合プレートに関する。
【背景技術】
【０００２】
骨折した部位を接合するために、骨に骨接合プレートを固定する治療方法が知られている。特許文献１には、複数のプレートを組み合わせて使用することができる骨接合プレートが開示されている。
【先行技術文献】
【特許文献】
【０００３】
【特許文献１】特開２０１４−０５０４７５号公報
【発明の概要】
【発明が解決しようとする課題】
【０００４】
骨の形状は、人や部位によって異なるので、ユーザ（例えば、医師）は、さまざまな形状の骨に対応する多種の骨接合プレートを準備しておく必要があった。特許文献１に開示されている骨接合プレートを使用することにより、ユーザは、骨接合プレートを骨の形状に合わせて組み合わせることができる。その結果、さまざまな骨の形状に対応するために大量の種類の骨接合プレートを保管する必要がなくなる。
【０００５】
しかしながら、特許文献１に開示されている骨接合プレートを使用する際には、複数の骨接合プレートを重ねた状態でネジ留めすることにより、骨接合プレートを骨に固定するので、複数の骨接合プレートが重なる部分の厚みが、他の部分の厚みよりも大きくなってしまう。厚みが部分的に大きくなってしまうと、身体への負担が増えるとともに、外観にも影響が生じるという問題が生じていた。
【０００６】
そこで、本発明はこれらの点に鑑みてなされたものであり、さまざまな骨の形状に対応しやすい骨接合プレートを提供することを目的とする。
【課題を解決するための手段】
【０００７】
本発明の第１の態様においては、ベースプレートと、前記ベースプレートの方向に対して所定範囲内の角度の方向に回動可能に、前記ベースプレートの端部に隣接して前記ベースプレートに結合された可動プレートと、を有する骨接合プレートを提供する。
【０００８】
上記の骨接合プレートは、前記ベースプレートの方向に対して所定範囲内の角度の方向に回動可能に、前記ベースプレートの第１端部に隣接して前記ベースプレートに結合された第１可動プレートと、前記第１端部と反対側の第２端部に隣接して前記ベースプレートに結合された第２可動プレートとを有してもよい。前記第１可動プレート及び前記第２可動プレートには、前記骨接合プレートを骨に固定するためのネジを貫通する穴が形成されていてもよい。
【０００９】
また、前記可動プレートは、前記ベースプレートに挿入される凸部を有し、前記ベースプレートは、前記凸部が挿入される凹部を有していてもよい。前記凹部は、例えば球状の空洞を有し、前記凸部は、前記球状の空洞の開口部の最大幅よりも大きな幅を有する第１凸部と、前記開口部の最大幅よりも小さな幅を有する第２凸部と、を有する。
【００１０】
前記凹部は、例えば、球状の第１空洞と、前記ベースプレートの厚み方向の幅が当該第１空洞の内径よりも小さい第２空洞とを有し、前記凸部は、前記厚み方向における前記第２空洞の最小幅よりも前記厚み方向の幅が大きい第１凸部と、前記厚み方向における前記第２空洞の最小幅よりも前記厚み方向の幅が小さい第２凸部と、を有する。前記可動プレートは、前記凸部が形成された側と反対側の端部に、他の可動プレートの前記凸部が挿入される凹部を有してもよい。
【００１１】
また、前記ベースプレートは、前記凹部に前記凸部が挿入された状態で前記凹部を覆うカバー部を有してもよい。前記ベースプレートの端部には、円弧状の凸面が形成されており、前記可動プレートの端部には、前記凸面の曲率半径と同等の曲率半径の円弧状の凹面が形成されていてもよい。
【００１２】
また、前記ベースプレートの厚みと前記可動プレートの厚みとが同一であり、前記ベースプレートと前記可動プレートとが結合された状態で、前記ベースプレートの表面と前記可動プレートの表面とが同一平面上にあってもよい。
【発明の効果】
【００１３】
本発明によれば、骨接合プレートの厚みを増大させることなく、さまざまな骨の形状に対応することができるという効果を奏する。
【図面の簡単な説明】
【００１４】
【図１】第１の実施形態に係る骨接合プレートの構成を示す図である。
【図２】ベースプレートの斜視図である。
【図３】可動プレートの斜視図である。
【図４】骨接合プレートの断面図である。
【図５】骨接合プレートを使用する際の手順を示すフローチャートである。
【図６】位置が調整された状態の骨接合プレートを示す図である。
【図７】第２の実施形態に係る骨接合プレートの構成を示す図である。
【図８】第３の実施形態に係る骨接合プレートの構成を示す図である。
【図９】第４の実施形態に係るベースプレートと可動プレートとの接続部分の断面図を示す図である。
【発明を実施するための形態】
【００１５】
＜第１の実施形態＞
［骨接合プレート１の構成］
図１は、第１の実施形態に係る骨接合プレート１の構成を示す図である。図１（ａ）は、骨接合プレート１の正面図である。図１（ｂ）は、骨接合プレート１の透視図である。骨接合プレート１は、骨折した骨の側面にネジで固定することにより、骨が接合するまでの間に骨を補強するためのプレートである。骨接合プレート１は、ベースプレート１０と、可動プレート２０ａと、可動プレート２０ｂとを有する。可動プレート２０ａと可動プレート２０ｂとは同一形状のプレートである。本明細書において、可動プレート２０ａと可動プレート２０ｂに共通する構成及び機能を説明する際に、可動プレート２０と記載する場合がある。
【００１６】
ベースプレート１０及び可動プレート２０は、チタン（Ｔｉ）、ＳＵＳ３１６、又はスーパーエンプラにより構成されている。Ｔｉは、骨との親和性が良好であり、アレルギーによる炎症の発生を防ぐことができる。ＳＵＳ３１６はＴｉよりも大きな強度を有しており、耐食性がある。
【００１７】
可動プレート２０ａ及び可動プレート２０ｂは、ベースプレート１０の方向に対して所定範囲内の角度の方向に回動可能に、ベースプレート１０の端部に隣接してベースプレート１０に結合されている。可動プレート２０ａ及び可動プレート２０ｂは、図１（ａ）の破線矢印に示す向きに回動可能であり、ユーザは、可動プレート２０ａ及び可動プレート２０ｂの方向を骨の形状に合わせて調整してから骨接合プレート１を骨にネジ留めすることにより、さまざまな形状の骨の接合に骨接合プレート１を用いることができる。
【００１８】
図２は、ベースプレート１０の斜視図である。図３は、可動プレート２０の斜視図である。図４は、図１（ａ）に示した骨接合プレート１のＡ−Ａ線断面図である。以下、図１〜図４を参照しながら、ベースプレート１０及び可動プレート２０の構成について説明する。
【００１９】
ベースプレート１０は、ベース部材１１と、カバー１２と、カバー１３と、凸面１４と、凹部１５とを有する。可動プレート２０は、ネジ穴２１と、凹面２２と、第１凸部２３と、第２凸部２４とを有する。ベースプレート１０の両端には円弧状の凸面１４が形成されており、凸面１４の上側には、可動プレート２０の第１凸部２３及び第２凸部２４が挿入される凹部１５が形成されている。
【００２０】
ネジ穴２１（２１ａ，２１ｂ）は、骨接合プレートを骨に固定するためのネジＳが貫通する穴である。ネジＳは、Ｔｉ合金製であり、例えば、９０重量％のＴｉ、６重量％のＡｌ及び４重量％のＶを含む。
凹面２２は、ベースプレート１０の凸面１４の曲率半径と同等の曲率半径の円弧状に形成されており、ユーザが、図１（ａ）の破線矢印の向きに力を加えることにより、凸面１４に沿って移動する。
【００２１】
第１凸部２３及び第２凸部２４は、凹面２２から突出するように形成されている。第１凸部２３は、可動プレート２０の厚み方向における幅が第２凸部２４よりも大きい。図３（ａ）及び図３（ｂ）に示すように、第１凸部２３は、例えば円弧状の面を有し、球状、球状の上下を切除した形状、又は円柱状である。図３（ａ）に示すように、第２凸部２４は、例えば、第１凸部２３の中心を頂点とする扇形状である。図３（ｂ）に示すように、第２凸部２４は、円柱状であってもよい。第２凸部２４を図３（ｂ）に示す形状にすることで、可動プレート２０を、第２凸部２４の軸を中心軸として回転させることが可能になる。
【００２２】
カバー１２及びカバー１３は、凹部１５に第１凸部２３及び第２凸部２４が挿入された状態で凹部１５を覆う。カバー１２及びカバー１３は、凹部１５に第１凸部２３及び第２凸部２４が挿入された後にベース部材１１に結合され、可動プレート２０を回動可能にしつつ、第１凸部２３及び第２凸部２４が凹部１５から抜けないように第１凸部２３及び第２凸部２４を押さえつける。カバー１２及びカバー１３がベース部材１１に結合される方法は任意であり、カバー１２及びカバー１３は、例えば、ネジにより結合されてもよく、嵌合用の爪により結合されてもよい。
【００２３】
図４に示すように、凹部１５は、空洞１６及び空洞１７により構成されている。空洞１６は、カバー１２及びカバー１３に形成された凹部と、ベース部材１１に形成された凹部とが連結することにより形成されており、例えば、球状の空洞である。また、空洞１７は、ベースプレート１０の厚み方向の幅が空洞１６の内径よりも小さい長尺状の空洞である。
【００２４】
空洞１６には、第１凸部２３が挿入される。第１凸部２３は、ベースプレート１０の厚み方向における空洞１７の最小幅よりも厚み方向の幅が大きい。また、第２凸部２４は、ベースプレート１０の厚み方向における空洞１７の最小幅よりも厚み方向の幅が小さい。具体的には、第１凸部２３のベースプレート１０の厚み方向の幅は、空洞１６と空洞１７との境界の位置、すなわち、凹部１５におけるベースプレート１０の厚み方向の幅が最も狭い位置の幅よりも大きい。したがって、空洞１６に挿入された第１凸部２３は、カバー１２がベース部材１１に取り付けられた状態で、空洞１６から抜けないように構成されている。
【００２５】
第１凸部２３の先端部は、空洞１６の内面の曲率と同等の曲率の曲面を有している。第１凸部２３の先端部にこのような曲面が形成されていることにより、可動プレート２０がベースプレート１０に対して回動しやすくなる。
【００２６】
また、図４に示すように、ベースプレート１０の厚みと可動プレート２０の厚みとは、同一である。そして、ベースプレート１０と可動プレート２０とが結合された状態で、ベースプレート１０の表面と可動プレート２０の表面とが同一平面上にある。ベースプレート１０及び可動プレート２０がこのような形状をしていることにより、平坦で薄い骨接合プレートを実現することができる。
【００２７】
［骨接合プレート１の使用方法］
以下、ユーザが骨接合プレート１を使用する際の手順について説明する。図５は、骨接合プレート１を使用する際の手順を示すフローチャートである。
まず、ユーザは、ベースプレート１０と、可動プレート２０ａと、可動プレート２０ｂとを準備する（Ｓ１）。続いて、ユーザは、ベースプレート１０の一端側の空洞１６ａに可動プレート２０ａの第１凸部２３を係合させ、ベースプレート１０の他端側の空洞１６ａに可動プレート２０ｂの第１凸部２３を係合させる（Ｓ２）。
【００２８】
続いて、ユーザは、カバー１２及びカバー１３をベース部材１１にかぶせて、ネジによりカバー１２及びカバー１３をベース部材１１に固定する（Ｓ３）。この状態で、可動プレート２０ａ及び可動プレート２０ｂは、ベースプレート１０に対して回動可能に結合されている。
【００２９】
続いて、ユーザは、ベースプレート１０、可動プレート２０ａ及び可動プレート２０ｂの位置を骨折した箇所に合わせ、ネジ穴２１ａにネジＳを通して可動プレート２０ａを固定する（Ｓ４）。また、ネジ穴２１ｂにネジＳを通して可動プレート２０ｂを固定する（Ｓ５）。
【００３０】
図６は、このようにして、骨の形状に合った位置にベースプレート１０、可動プレート２０ａ及び可動プレート２０ｂの位置が調整された状態の骨接合プレート１を示す図である。この状態で、骨接合プレート１は、骨の形状に合わせて固定された状態になるが、固定状態を強固にするために、カバー１２を貫通して可動プレート２０ａの第１凸部２３に達するネジ（不図示）により可動プレート２０ａの第１凸部２３を固定し、カバー１３を貫通して可動プレート２０ｂの第１凸部２３に達するネジにより可動プレート２０ｂの第１凸部２３を固定してもよい（Ｓ６）。
【００３１】
なお、上記の説明においては、ユーザが、ベースプレート１０と、可動プレート２０ａと、可動プレート２０ｂとを準備する場合について説明したが、ユーザは、Ｓ３の状態まで作成された中間体を準備し、Ｓ４以降の作業を実施してもよい。
【００３２】
［第１の実施形態における効果］
以上説明したように、本実施形態に係る骨接合プレート１は、ベースプレート１０と、ベースプレート１０の方向に対して所定範囲内の角度の方向に回動可能に、ベースプレート１０の端部に隣接してベースプレート１０に結合された可動プレート２０ａ，２０ｂを有する。このようにすることで、骨接合プレートの厚みを増大させることなく、限られた種類のプレートを用いて、さまざまな骨の形状に対応することができる。
【００３３】
＜第２の実施形態＞
図７は、第２の実施形態に係る骨接合プレート２の構成を示す図である。第１の実施形態における骨接合プレート１は、ベースプレート１０と、可動プレート２０ａと、可動プレート２０ｂとを有していたが、第２の実施形態における骨接合プレート２は、可動プレート２０及びベースプレート３０の２つの部材により構成されている点で第１の実施形態と異なる。
【００３４】
ベースプレート３０は、一端が、ベースプレート１０における一端と同様の形状及び構造をしており、他端が、可動プレート２０のネジ穴２１が形成されている端と同様の形状及び構造をしている。すなわち、ベースプレート３０は、ベース部材３１と、ベース部材３１に形成された凹部１５を覆うカバー３２と、ネジＳを貫通させるネジ穴３３とを有する。
【００３５】
このように、骨の形状によっては、本実施形態の可動プレート２０及びベースプレート３０のように２つのプレートにより構成される骨接合プレート２を用いることができる。
【００３６】
＜第３の実施形態＞
図８は、第３の実施形態に係る骨接合プレート３の構成を示す図である。第３の実施形態における骨接合プレート３は、ベースプレート１０と、可動プレート２０と、可動プレート４０と、可動プレート４０に結合される他のプレートとを有しており、４つ以上の部材により構成されている点で、第１の実施形態及び第２の実施形態と異なる。
【００３７】
可動プレート４０は、両端が、可動プレート２０におけるベースプレート１０に結合される側と同様の形状及び構造をしており、中央部分にネジ穴４１を有している。図８において、可動プレート４０の一端はベースプレート１０に結合されている。可動プレート４０の他端は、図１に示したベースプレート１０、又は図７に示したベースプレート３０に結合される。
【００３８】
可動プレート４０の両端がベースプレート１０に結合されている場合、骨接合プレート３は、可動プレート４０、可動プレート４０の両端に結合された複数のベースプレート１０、及びベースプレート１０に結合された複数の可動プレート２０の５つのプレートにより構成される。また、可動プレート４０の一端がベースプレート１０に結合され、他端がベースプレート３０に結合されている場合、骨接合プレート３は、可動プレート２０、ベースプレート１０、可動プレート４０及びベースプレート３０の４つのプレートにより構成される。
【００３９】
このようなベースプレート１０、可動プレート２０、ベースプレート３０及び可動プレート４０を組み合わせることにより、ユーザは、任意の数のプレートを組み合わせて、所望の長さの骨接合プレートを作成することが可能になる。
【００４０】
＜第４の実施形態＞
第１の実施形態から第３の実施形態においては、可動プレート２０が、ベースプレート１０に対して同一平面上で回動したが、第４の実施形態においては、ベースプレート１０に対して三次元空間上で回動する点で他の実施形態と異なる。
【００４１】
図９は、第４の実施形態に係るベースプレート１０と可動プレート２０との接続部分の断面図を示す図である。図９においては、図４に示した骨接合プレート１のベース部材１１に対応するベース部材１８、カバー１２に対応するカバー１９、第１凸部２３に対応する第１凸部２５、第２凸部２４に対応する第２凸部２６が示されている。
【００４２】
図９に示す第１凸部２５は球状をしており、ベース部材１８及びカバー１９により形成される球状の空洞内を自由な方向に回動する。また、第１凸部２５が球状であることにより、可動プレート２０の長手方向を回転軸として、ベースプレート１０又は可動プレート２０を回転させることもできる。
【００４３】
また、第１凸部２５は、ベース部材１８及びカバー１９により形成される球状の空洞の開口部の最大幅よりも大きな幅（直径）を有している。したがって、カバー１９が装着された状態で、第１凸部２５は、球状の空洞から抜けることなく回動する。なお、第１凸部２５の形状は球状に限定されず、他の形状であってもよい。例えば、第１凸部２５は、球の上下が平面状に加工された形状であってもよい。
【００４４】
第１凸部２５の表面には、多数の凹部が形成されていてもよい。また、ベース部材１８及びカバー１９により形成される球状の空洞の内側には、多数の凸部が形成されていてもよい。この場合、第１凸部２５の凹部に空洞の内側の凸部が入ることにより、可動プレート２０の位置を決めた後に、第１凸部２５を固定しやすくなる。
【００４５】
第２凸部２６は、例えば円柱形状をしており、球状の空洞の開口部の最大幅よりも小さな幅（直径）を有している。第２凸部２６の直径が、開口部の最大幅よりも小さいことにより、第１凸部２５及び第２凸部２６を有する可動プレート２０が、上下方向、左右方向、斜め方向等の任意の方向に回動することができる。このように、骨接合プレートが本実施形態に係る構成を有することにより、三次元空間上の任意の方向にベースプレート１０と可動プレート２０とを回動させることができるので、さらに骨の形状に合わせやすくなる。
【００４６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００４７】
例えば、ベースプレート１０と可動プレート２０の結合方法は、上記の実施形態において示した構成に限らず、可動プレート２０がベースプレート１０の方向に対して回動可能になる構成であれば、他の構成であってもよい。また、可動プレート２０が凹面２２を有する例を説明したが、可動プレート２０が両端に凸面を有していてもよい。
【符号の説明】
【００４８】
１  骨接合プレート
２  骨接合プレート
３  骨接合プレート
１０  ベースプレート
１１  ベース部材
１２  カバー
１３  カバー
１４  凸面
１５  凹部
１６  空洞
１７  空洞
１８  ベース部材
１９  カバー
２０  可動プレート
２０ａ  可動プレート
２０ｂ  可動プレート
２１  ネジ穴
２２  凹面
２３  第１凸部
２４  第２凸部
２５  第１凸部
２６  第２凸部
３０  ベースプレート
３１  ベース部材
３２  カバー
３３  ネジ穴
４０  可動プレート
４１  ネジ穴
【図１】
2017023203.tif 000003
【図２】
2017023203.tif 000004
【図３】
2017023203.tif 000005
【図４】
2017023203.tif 000006
【図５】
2017023203.tif 000007
【図６】
2017023203.tif 000008
【図７】
2017023203.tif 000009
【図８】
2017023203.tif 000010
【図９】
2017023203.tif 000011